(57)【要約】【課題】手振りではなく身体を使ったスイングを実現出来るゴルフ練習器具を提供すること。【解決手段】ゴルフのスイングを練習するための第１のゴルフ練習器具１であって、ゴルフクラブ１００のヘッド１２０と反対側に位置するゴルフクラブのグリップ１１０を連結可能な第１連結部材２００と、練習者の身体の内の手以外の所定部位の一例としての腰回りに装着可能な、第１連結部材２００が固定された第１装着部材３００と、を備え、練習者がゴルフクラブ１００をスイングする際、ゴルフクラブ１００のグリップ１１０は手で把持されない、ことを特徴とする第１のゴルフ練習器具１である。【選択図】図１
2020058471.tif 000002
【特許請求の範囲】
【請求項１】
ゴルフのスイングを練習するためのゴルフ練習器具であって、
プレー用又は練習用のゴルフクラブのヘッドと反対側に位置する前記ゴルフクラブの一端部を連結可能な連結部材と、
練習者の身体の内の手以外の所定部位に装着可能な、又は前記練習者が前記手により前記身体に一時的に保持可能な、前記連結部材が固定された第１装着保持部材と、を備え、
前記練習者が前記ゴルフクラブをスイングする際、前記ゴルフクラブの前記一端部は前記手で把持されない、ことを特徴とするゴルフ練習器具。
【請求項２】
前記第１装着保持部材は、前記練習者の前記所定部位に装着可能なベルト状部材であり、
前記所定部位は、前記練習者の腰回り又は、胸回りである、ことを特徴とする請求項１記載のゴルフ練習器具。
【請求項３】
前記第１装着保持部材は、前記練習者の前記身体に一時的に保持可能な板状部材であり、
前記板状部材の両端側には、前記練習者が前記手で押圧可能な部位が形成されている、ことを特徴とする請求項１記載のゴルフ練習器具。
【請求項４】
前記連結部材は、前記ゴルフクラブの前記一端部の取付角度と取付高さの少なくとも何れか一方が調節可能に構成されている、ことを特徴とする請求項１乃至３の何れか一つに記載のゴルフ練習器具。
【請求項５】
ゴルフのスイングを練習するためのゴルフ練習器具であって、
ゴルフクラブと、
練習者の身体の内の手以外の所定部位に装着可能な、又は前記練習者が前記手により前記身体に一時的に保持可能な、前記ゴルフクラブが取り付けられた第２装着保持部材と、を備え、
前記ゴルフクラブと前記第２装着保持部材は、一体構造を成しており、
前記練習者が前記ゴルフクラブをスイングする際、前記ゴルフクラブは前記手で把持されない、ことを特徴とするゴルフ練習器具。
【発明の詳細な説明】
【技術分野】
【０００１】
本発明は、ゴルフ練習器具に関する。
【背景技術】
【０００２】
ゴルフの初心者のスイングは、身体を使わずに手振りになりがちである。
【０００３】
そのため、従来より、ゴルフクラブのスイングの練習において、手振りでは無く身体を使ってスイングできる様にするための、ゴルフクラブに似た形状のゴルフ練習器具が知られている。
【発明の概要】
【発明が解決しようとする課題】
【０００４】
しかしながら、上述した従来のゴルフ練習器具は、ゴルフクラブに似た形状であり、ゴルフの初心者がスイングの練習をする場合、そのゴルフ練習器具のグリップ部を自らの手で握ってスイングする構成であるため、結局は身体を使わずに手振りになり易いという問題がある。
【０００５】
本発明は、上記従来の練習器具のこの様な課題に鑑みて、手振りではなく身体を使ったスイングを実現出来るゴルフ練習器具を提供することを目的とする。
【課題を解決するための手段】
【０００６】
第１の本発明は、
ゴルフのスイングを練習するためのゴルフ練習器具であって、
プレー用又は練習用のゴルフクラブのヘッドと反対側に位置する前記ゴルフクラブの一端部を連結可能な連結部材と、
練習者の身体の内の手以外の所定部位に装着可能な、又は前記練習者が前記手により前記身体に一時的に保持可能な、前記連結部材が固定された第１装着保持部材と、を備え、
前記練習者が前記ゴルフクラブをスイングする際、前記ゴルフクラブの前記一端部は前記手で把持されない、ことを特徴とするゴルフ練習器具である。
【０００７】
また、第２の本発明は、
前記第１装着保持部材は、前記練習者の前記所定部位に装着可能なベルト状部材であり、
前記所定部位は、前記練習者の腰回り又は、胸回りである、ことを特徴とする上記第１の本発明のゴルフ練習器具である。
【０００８】
また、第３の本発明は、
前記第１装着保持部材は、前記練習者の前記身体に一時的に保持可能な板状部材であり、
前記板状部材の両端側には、前記練習者が前記手で押圧可能な部位が形成されている、ことを特徴とする上記第１の本発明のゴルフ練習器具である。
【０００９】
また、第４の本発明は、
前記連結部材は、前記ゴルフクラブの前記一端部の取付角度と取付高さの少なくとも何れか一方が調節可能に構成されている、ことを特徴とする上記第１乃至第３の何れか一つの本発明のゴルフ練習器具である。
【００１０】
また、第５の本発明は、
ゴルフのスイングを練習するためのゴルフ練習器具であって、
ゴルフクラブと、
練習者の身体の内の手以外の所定部位に装着可能な、又は前記練習者が前記手により前記身体に一時的に保持可能な、前記ゴルフクラブが取り付けられた第２装着保持部材と、を備え、
前記ゴルフクラブと前記第２装着保持部材は、一体構造を成しており、
前記練習者が前記ゴルフクラブをスイングする際、前記ゴルフクラブは前記手で把持されない、ことを特徴とするゴルフ練習器具である。
【発明の効果】
【００１１】
本発明によれば、手振りではなく身体を使ったスイングを実現出来るという効果を発揮する。
【図面の簡単な説明】
【００１２】
【図１】（ａ）：本実施の形態１の第１のゴルフ練習器具を、練習者が自身の腰回りに装着した状態を示す概略正面図、（ｂ）：本実施の形態１の第１のゴルフ練習器具を、練習者が自身の腰回りに装着した状態を示す概略側面図、（ｃ）：ゴルフクラブのグリップをグリップ固定金具を用いて第１連結部材に固定した状態を示す概略断面図
【図２】（ａ）：本実施の形態２の第２のゴルフ練習器具の概略斜視図、（ｂ）：本実施の形態２の第２のゴルフ練習器具を、練習者が自身の胸回りに装着した状態を示す概略斜視図
【発明を実施するための形態】
【００１３】
以下に、本発明のゴルフ練習器具の実施の形態について、図面を用いて説明する。
【００１４】
（実施の形態１）
本実施の形態１では、本発明のゴルフ練習器具の一例として、アプローチショットの練習に適した第１のゴルフ練習器具１について図面を用いて説明する。
【００１５】
図１（ａ）は、練習者が、本実施の形態の第１のゴルフ練習器具１を自身の腰回りに装着した状態を示す概略正面図であり、図１（ｂ）は、練習者が、本実施の形態の第１のゴルフ練習器具１を自身の腰回りに装着した状態を示す概略側面図である。
【００１６】
また、図１（ｃ）は、ゴルフクラブ１００のグリップ１１０をグリップ固定金具２３０を用いて第１連結部材２００に固定した状態を示す概略断面図であって、図１（ａ）中にその断面位置を示した概略のＡ−Ａ’線断面矢視図である。
【００１７】
本実施の形態の第１のゴルフ練習器具１は、図１（ａ）〜図１（ｃ）に示す様に、
【００１８】
（１）練習者が所有しているゴルフクラブ１００のグリップ１１０を連結可能な第１連結部材２００と、
【００１９】
（２）練習者の腰回りに装着可能であると共に、上記第１連結部材２００の上端部が固定されたベルト状の第１装着部材３００と、
を備えている。
【００２０】
また、第１連結部材２００は、略四角形状で平面状の板状部材であって、その下端側には左右幅の略中央位置に一対の下端側貫通孔２１０が形成されており、且つ、その上端側には左右幅の幅方向に亘り所定間隔で３個以上の上端側貫通孔２２０が形成されている。
【００２１】
また、一対の下端側貫通孔２１０と、複数の上端側貫通孔２２０の内の一対の貫通孔とには、ゴルフクラブ１００のグリップ１１０を固定するためのグリップ固定金具２３０が着脱可能に取り付けられている（図１（ａ）、図１（ｂ）参照）。
【００２２】
なお、グリップ固定金具２３０は、図１（ｃ）に示す様に、外形が略Ｕ字形状であってその断面が略円形状のグリップ固定基部２３１と、グリップ固定基部２３１の両端部に形成された雄ねじ部と螺合可能な固定ナット部２３２とから構成されている。
【００２３】
更に、上端側貫通孔２２０に取り付けられるグリップ固定金具２３０は、左右の幅方向に亘り所定間隔で３個以上設けられた上端側貫通孔２２０の内の任意の一対の貫通孔を選択することにより、取付位置を左右何れの方向にも変更可能である。また、下端側貫通孔２１０に取り付けられるグリップ固定金具２３０の取付位置は、左右幅の略中央位置に固定されている。
【００２４】
上記構成により、下端側貫通孔２１０に取り付けたグリップ固定金具２３０により、ゴルフクラブ１００のグリップ１１０の内のヘッド１２０に近い側の部位が、第１連結部材２００の下端側に固定され、且つ、複数の上端側貫通孔２２０の内の所望の位置の一対の貫通孔に取り付けたグリップ固定金具２３０により、ゴルフクラブ１００のグリップ１１０の内のヘッド１２０から遠い側の部位が、第１連結部材２００の上端側に固定される。
【００２５】
この様に、複数の上端側貫通孔２２０の内の任意の一対の貫通孔を選択することにより、正面視における垂線１０を基準とした、ゴルフクラブ１００のシャフト１３０の第１傾斜角度θを所望の角度に容易に調整して確実に固定することが出来る（図１（ａ）、図１（ｃ）参照）。
【００２６】
更にまた、側面視における第１連結部材２００の平面を基準とした、ゴルフクラブ１００のシャフト１３０の第２傾斜角度（図示省略）を所望の角度に調整して固定するための所定厚みのスペーサープレート（図示省略）が単数乃至複数枚装着可能に設けられている。
【００２７】
即ち、スペーサープレートは、下端側貫通孔２１０に両端側が挿入されるグリップ固定基部２３１により第１連結部材２００の下端側に固定される、ゴルフクラブ１００のグリップ１１０の内のヘッド１２０に近い側の部位と、第１連結部材２００との間に所定枚数を挿入する。
【００２８】
これにより、側面視における第１連結部材２００の平面を基準とした、ゴルフクラブ１００のシャフト１３０の第２傾斜角度（図示省略）を所望の角度に容易に調整して確実に固定することが出来る（図１（ｂ）参照）。
【００２９】
また、グリップ固定金具２３０により、ゴルフクラブ１００のグリップ１１０を第１連結部材２００に固定する際、グリップ１１０の位置をシャフト１３０の方向に沿って上下方向に調整することにより、ゴルフクラブ１００の取付高さを容易に調整して確実に固定することが出来る。
【００３０】
また、上述した様に、ベルト状の第１装着部材３００には、その長手方向の略中央部の下端部側に対して、第１連結部材２００の上端部が連結固定されている。また、第１装着部材３００は、その両端部の内の一端部の表面にはフック状部材が形成されており、且つ、当該一端部の表面と対向する他端部の表面にはループ状部材が形成されており、一端部のフック状部材と他端部のループ状部材とが絡み合うことにより両端部が着脱可能な状態で結合する所謂面ファスナーの構造を成している。
【００３１】
これにより、練習者は、第１装着部材３００の略中央部を自身の腰回りの臍のあたりに位置決めして、その両端部を背面側で弛みなくフック部材とループ部材を結合させることで、容易に且つ位置ズレすることなくしっかりと固定することが出来る。
【００３２】
また更に、第１装着部材３００の略中央部には、下腹部に沿って湾曲した板状のプレート部材（図示省略）が内蔵されており、そのプレート部材と第１連結部材２００とが強固に固定されている。そのため、第１装着部材３００を腰回りにしっかりと固定することにより、プレート部材が身体に密着するので、スイングの練習をする際に、第１連結部材２００が上下左右方向に揺動することを防止出来る。
【００３３】
上記構成の第１のゴルフ練習器具１を用いて、アプローチショットの練習をする場合、練習者は、ゴルフクラブ１００のグリップ１１０を手で握る必要がないので、両手は後ろに回して組むことが出来る（図１（ａ）、図１（ｂ）参照）。
【００３４】
この様に、本実施の形態の第１のゴルフ練習器具１によれば、ゴルフクラブと身体を手を介さずに連結させることが出来る。従って、練習者は、ゴルフクラブのスイングの練習を、自らの手を使うことなく、身体を使って行うことが出来るので、正しいスイングの感覚を容易に且つ確実に身につけることが出来る。
【００３５】
なお、本実施の形態の第１連結部材２００は、本発明の連結部材の一例にあたり、本実施の形態の第１装着部材３００は、本発明の第１装着保持部材の一例にあたる。また、本実施の形態のゴルフクラブ１００のグリップ１１０は、本発明のゴルフクラブの一端部の一例にあたる。
【００３６】
（実施の形態２）
次に、本実施の形態２では、本発明のゴルフ練習器具の一例として、パッティングの練習に適した第２のゴルフ練習器具２について図面を用いて説明する。
【００３７】
図２（ａ）は、本実施の形態２の第２のゴルフ練習器具２の概略斜視図であり、図２（ｂ）は、練習者が、本実施の形態２の第２のゴルフ練習器具２を自身の胸回りに装着した状態を示す概略斜視図である。
【００３８】
なお、上記実施の形態１で説明した構成と基本的に同じ構成には、同じ符号を付した。
【００３９】
本実施の形態２の第２のゴルフ練習器具２は、図２（ａ）〜図２（ｂ）に示す様に、
【００４０】
（１）練習者が所有しているゴルフクラブ１００のグリップ１１０を連結可能な第２連結部材４００と、
【００４１】
（２）練習者の胸回りに装着可能であると共に、上記第２連結部材４００が固定されたベルト状の第２装着部材５００と、
を備えている。
【００４２】
また、第２連結部材４００は、上記実施の形態１の第１連結部材２００と同様に、グリップ固定金具２３０によりゴルフクラブ１００のグリップ１１０を着脱可能に固定出来る構成である。
【００４３】
また、ベルト状の第２装着部材５００は、第２連結部材４００の上端部が固定された第２装着基部５１０と、一部が当該第２装着基部５１０に固定されており且つ練習者の胸回りに巻き付けた状態にて装着することが出来る第２装着ベルト部５２０とから構成されている（図２（ａ）、図２（ｂ）参照）。
【００４４】
また、第２連結部材４００は、第２装着基部５１０に対して所定角度に傾斜した状態で下方に向けて突き出す様に固定された平面状部材である（図２図２（ｂ）参照）。
【００４５】
また、第２装着基部５１０は、第２のゴルフ練習器具２を胸回りに装着した際に、練習者の胸部分に安定的に当接する様に構成された板状部材である。
【００４６】
また、ベルト状の第２装着部材５００は、装着した際に練習者の背中側に位置する第２装着ベルト部５２０の両端部５２１が、上記実施の形態１の第１装着部材３００と同様に、所謂面ファスナーの構造を成している。
【００４７】
これにより、練習者は、第２装着ベルト部５２０の両端部５２１の面ファスナーを結合させてリング状にした上で（図２（ａ）参照）、第２のゴルフ練習器具２を頭部側からかぶり降ろす様にして、上腕部と背中を含む胸回りに弛みなく装着することが出来る（図２（ｂ）参照）。
【００４８】
また、第２のゴルフ練習器具２を胸回りに弛みなく装着することで、第２装着基部５１０が練習者の胸部分に安定的に当接するので、スイングの練習をする際に、第２連結部材４００が上下左右方向に揺動することを防止出来る。
【００４９】
上記構成の第２のゴルフ練習器具２を用いて、パッティングの練習をする場合、練習者は、ゴルフクラブ１００のグリップ１１０を手で握る必要がないので、両手は後ろに回して組むことが出来る（図２（ｂ）参照）。
【００５０】
この様に、本実施の形態の第２のゴルフ練習器具２によれば、ゴルフクラブと身体を手を介さずに連結させることが出来る。従って、練習者は、ゴルフクラブのスイングの練習を、自らの手を使うことなく、身体を使って行うことが出来るので、正しいスイングの感覚を容易に且つ確実に身につけることが出来る。
【００５１】
なお、本実施の形態の第２連結部材４００は、本発明の連結部材の一例にあたり、本実施の形態の第２装着部材５００は、本発明の第１装着保持部材の一例にあたる。
【００５２】
なお、上記実施の形態では、第１のゴルフ練習器具１、又は第２のゴルフ練習器具２に着脱可能に固定するゴルフクラブ１００は、練習者が所有しているもの（例えば、プレー用）である場合について説明したが、これに限らず例えば、第１のゴルフ練習器具１、又は第２のゴルフ練習器具２に着脱可能な練習用（即ち、専用）のゴルフクラブであっても良い。よって、この構成の場合、練習用のゴルフクラブのグリップに相当する部位（即ち、ゴルフクラブのヘッドと反対側に位置するゴルフクラブの一端部に対応する部位）の形状は、プレー用のゴルフクラブのグリップと同じ形状である必要はなく、要するに、本発明の連結部材に連結可能な形状であればどの様な形状であっても良い。
【００５３】
また、上記実施の形態では、ゴルフクラブのグリップ１１０の第１傾斜角度、第２傾斜角度、及び取付高さの全てについて調整可能な構成について説明したが、これに限らず例えば、第１傾斜角度、第２傾斜角度、及び取付高さの内、少なくとも何れか一つについて調整可能な構成としても良い。
【００５４】
また、上記実施の形態では、第１のゴルフ練習器具１、第２のゴルフ練習器具２において、面ファスナーを用いた場合について説明したが、これに限らず例えば、第１装着部材３００及び第２装着部材５００の少なくとも何れか一方が、ゴム製等の強力な弾性を有するリング状部材であっても良い。
【００５５】
また、上記実施の形態では、第１連結部材２００をベルト状の第１装着部材３００により身体に装着する構成（図１（ａ）、図１（ｂ）参照）について説明したが、これに限らず例えば、第１連結部材２００の上端部が固定された第１装着部材３００に代えて、練習者の腹部に沿って左右方向に緩やかに湾曲した略円弧状の板状部材（図示省略）を用いた構成であっても良い。略円弧状の板状部材の下端部に第１連結部材２００の上端部が強固に固定されている。この構成の場合、ゴルフクラブのスイングの練習をする際に、練習者は、略円弧状の板状部材の左右両端部を左右のそれぞれの手で自身の腹部に向けて押圧することで、当該略円弧状の板状部材を腹部に密着させ保持することが出来る。この構成によれば、両手は、あくまで当該略円弧状の板状部材を腹部に密着させ保持するためにだけ使用され、ゴルフクラブ１００のグリップ１１０を握ることがない。従って、練習者は、ゴルフクラブのスイングの練習を、手振りではなく、身体を使って行うことが出来るので、正しいスイングの感覚を容易に且つ確実に身につけることが出来る。なお、この構成の略円弧状の板状部材は、本発明の第１装着保持部材の一例にあたり、また、この構成の略円弧状の板状部材の左右両端部は、本発明の「練習者が手で押圧可能な部位」の一例にあたる。
【００５６】
また、上記実施の形態では、第２連結部材４００をベルト状の第２装着部材５００により身体に装着する構成（図２（ｂ）参照）について説明したが、これに限らず例えば、第２装着部材５００を構成する第２装着ベルト部５２０を設けない構成でも良い。この構成の場合、ゴルフクラブのスイングの練習をする際に、練習者は、第２装着基部５１０の板状部材の左右両端部を両手で自身の胸部に向けて押圧することで、第２装着基部５１０を胸部に密着させて保持することが出来る。この構成によれば、両手は、あくまで第２装着基部５１０を胸部に密着させて保持するためにだけ使用され、ゴルフクラブ１００のグリップ１１０を握ることがない。従って、練習者は、ゴルフクラブのスイングの練習を、手振りではなく、身体を使って行うことが出来るので、正しいスイングの感覚を容易に且つ確実に身につけることが出来る。なお、この構成の第２装着基部５１０は、本発明の第１装着保持部材の一例にあたり、また、この構成の第２装着基部５１０の板状部材の左右両端部は、本発明の「練習者が手で押圧可能な部位」の一例にあたる。
【００５７】
また、上記実施の形態では、第１連結部材２００と第１装着部材３００とは、それぞれ別部材である場合について説明したが、これに限らず例えば、
また、上記実施の形態では、第１連結部材２００と第１装着部材３００とは、別々に形成された部材を締結部材や接着剤等を用いて互いに強固に固定した構成である場合について説明したが（図１（ａ）、図１（ｂ）参照）、これに限らず例えば、第１連結部材２００と面ファスナーの部分を除く第１装着部材３００とが、樹脂材料等により一体成型された構成でも良い。これにより部品点数の削減が図れる。
【００５８】
また、上記実施の形態では、第２連結部材４００と第２装着部材５００とは、別々に形成された部材を締結部材や接着剤等を用いて互いに強固に固定した構成である場合について説明したが（図２（ａ）、図２（ｂ）参照）、これに限らず例えば、第２連結部材４００と面ファスナーの部分を除く第２装着部材５００とが、樹脂材料等により一体成型された構成でも良い。これにより部品点数の削減が図れる。
【００５９】
また、上記実施の形態では、第１連結部材２００と第１装着部材３００とは、別々に形成された部材を締結部材や接着剤等を用いて互いに強固に固定した構成であって、ゴルフクラブ１００はグリップ固定金具２３０を用いて着脱可能に構成されている場合について説明したが（図１（ａ）、図１（ｂ）参照）、これに限らず例えば、第１連結部材２００と第１装着部材３００（面ファスナーの部分を除く）とゴルフクラブ１００とが、樹脂材料等により一体成型された構成でも良い。この構成によれば、上記と同様に、練習者は、ゴルフクラブのスイングの練習を、自らの手を使うことなく、身体を使って行うことが出来るので、正しいスイングの感覚を容易に且つ確実に身につけることが出来る。また、これにより部品点数の削減が図れる。この構成の場合、第１連結部材２００と第１装着部材３００（面ファスナーの部分を除く）と含む部位が、本発明の第２装着保持部材の一例である。なお、この一体成型された構成の場合、図１（ａ）に示す第１連結部材２００に対応する部材が無くても良く、その場合は、第１装着部材３００に対応する部材とゴルフクラブとが、樹脂材料等により一体成型された構成となる。
【００６０】
また、上記実施の形態では、第２連結部材４００と第２装着部材５００とは、別々に形成された部材を締結部材や接着剤等を用いて互いに強固に固定した構成であって、ゴルフクラブ１００はグリップ固定金具２３０を用いて着脱可能に構成されている場合について説明したが（図２（ａ）、図２（ｂ）参照）、これに限らず例えば、第２連結部材４００と第２装着部材５００（面ファスナーの部分を除く）とゴルフクラブ１００とが、樹脂材料等により一体成型された構成でも良い。この構成によれば、上記と同様に、練習者は、ゴルフクラブのスイングの練習を、自らの手を使うことなく、身体を使って行うことが出来るので、正しいスイングの感覚を容易に且つ確実に身につけることが出来る。また、これにより部品点数の削減が図れる。この構成の場合、第２連結部材４００と第２装着部材５００（面ファスナーの部分を除く）と含む部位が、本発明の第２装着保持部材の一例である。なお、この一体成型された構成の場合、図２（ａ）に示す第２連結部材４００に対応する部材が無くても良く、その場合は、第２装着部材５００に対応する部材とゴルフクラブとが、樹脂材料等により一体成型された構成となる。
【００６１】
また、上記の一体成型された構成例では、図１（ａ）で示した第１装着部材３００に対応する樹脂製の部材によりゴルフ練習器具を身体（腰回り）に装着する構成について説明したが、これに限らず例えば、図１（ａ）で示した第１装着部材３００に対応する樹脂製の部材に代えて、練習者の腹部に沿って左右方向に緩やかに湾曲した略円弧状の樹脂製の板状部材を備えた構成であっても良い。略円弧状の樹脂製の板状部材と、その下端部に位置する第１連結部材２００に対応する樹脂製の部材とがゴルフクラブと共に一体成型により構成されている。この構成の場合、ゴルフクラブのスイングの練習をする際に、練習者は、略円弧状の樹脂製の板状部材の左右両端部を左右のそれぞれの手で自身の腹部に向けて押圧することで、当該略円弧状の樹脂製の板状部材を腹部に密着させ保持することが出来る。従って、この構成の場合も上記と同様に、練習者は、ゴルフクラブのスイングの練習を、手振りではなく、身体を使って行うことが出来るので、正しいスイングの感覚を容易に且つ確実に身につけることが出来る。また、これにより部品点数の削減が図れる。なお、この一体成型された構成の場合、図１（ａ）に示す第１連結部材２００に対応する部材が無くても良く、その場合は、第１装着部材３００に対応する部材とゴルフクラブとが、樹脂材料等により一体成型された構成となる。
【００６２】
また、上記の一体成型された構成例では、図２（ａ）で示した第２装着部材５００に対応する樹脂製の部材によりゴルフ練習器具を身体（胸回り）に装着する構成について説明したが、これに限らず例えば、図２（ａ）で示した第２装着部材５００を構成する第２装着ベルト部５２０に対応する樹脂製部材を設けない構成でも良い。この構成の場合、ゴルフクラブのスイングの練習をする際に、練習者は、図２（ａ）で示した第２装着基部５１０に対応する樹脂製の板状部材の左右両端部を両手で自身の胸部に向けて押圧することで、第２装着基部５１０に対応する樹脂製の板状部材を胸部に密着させて保持することが出来る。第２装着基部５１０に対応する樹脂製の板状部材と、その表面側に位置する第２連結部材４００に対応する樹脂製の部材とがゴルフクラブと共に一体成型により構成されている。この構成の場合、ゴルフクラブのスイングの練習をする際に、練習者は、第２装着基部５１０に対応する樹脂製の板状部材の左右両端部を左右のそれぞれの手で自身の胸部に向けて押圧することで、当該第２装着基部５１０に対応する樹脂製の板状部材を胸部に密着させ保持することが出来る。従って、この構成の場合も上記と同様に、練習者は、ゴルフクラブのスイングの練習を、手振りではなく、身体を使って行うことが出来るので、正しいスイングの感覚を容易に且つ確実に身につけることが出来る。また、これにより部品点数の削減が図れる。なお、この一体成型された構成の場合、図２（ａ）に示す第２連結部材４００に対応する部材が無くても良く、その場合は、第２装着部材５００に対応する部材とゴルフクラブとが、樹脂材料等により一体成型された構成となる。
【００６３】
また、上記各構成例では、ゴルフ練習器具を樹脂材料等により一体成型された場合について説明したが、一部（例えば、ゴルフクラブのシャフトやヘッドに対応する部位）に金属等の強度の高い材料を含んで一体成型されていても良い。また、樹脂材料として、通常の樹脂の他に、例えば、繊維強化樹脂（ＦＲＰ／Fiber-Reinforced Plastics）や炭素繊維強化樹脂（ＣＦＲＰ／Carbon Fiber-Reinforced Plastics）等を用いても良い。また、一体成型に用いる材料は、樹脂材料に限定されるものではなく、樹脂材料以外の材料（例えば、高強度軽量合金等）であっても良い。
【００６４】
また、上記実施の形態では、本発明のゴルフ練習器具を、アプローチショットの練習、又はパッティングの練習に適したゴルフ練習器具に適用した場合について説明したが、これに限らず例えば、その他のゴルフクラブのスイングの練習に適したゴルフ練習器具に適用しても良い。その場合でも、上記と同様の効果を発揮する。
【産業上の利用可能性】
【００６５】
本発明のゴルフ練習器具によれば、手振りではなく身体を使ったスイングを実現出来るという効果を発揮し、例えば、ゴルフ練習器具等に適用出来て有用である。
【符号の説明】
【００６６】
１      第１のゴルフ練習器具
２      第２のゴルフ練習器具
１００  ゴルフクラブ
１１０  グリップ
１２０  ヘッド
１３０  シャフト
２００  第１連結部材
２１０  下端側貫通孔
２２０  上端側貫通孔
２３０  グリップ固定金具
３００  第１装着部材
４００  第２連結部材
５００  第２装着部材
５１０  第２装着基部
５２０  第２装着ベルト部
【図１】
2020058471.tif 000003
【図２】
2020058471.tif 000004
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
ゴルフのアプローチを練習するためのゴルフ練習器具であって、
プレー用又は練習用のゴルフクラブのヘッドと反対側に位置する前記ゴルフクラブの一端部を連結可能な連結部材と、
練習者の身体の内の手以外の所定部位に装着可能な、又は前記練習者が前記手により前記身体に一時的に保持可能な、前記連結部材が固定された第１装着保持部材と、を備え、
前記連結部材は板状部材であり、その下端側に一対の下端側貫通孔が形成され、その上端側に３個以上の上端貫通孔が形成され、前記一対の下端側貫通孔と前記３個以上の上端貫通孔の内の一対の貫通孔とには前記ゴルフクラブの一端部を固定するためのグリップ固定金具が着脱可能に取り付けられ、 
前記練習者が前記ゴルフクラブでアプローチする際、前記ゴルフクラブの前記一端部は前記手で把持されない、ことを特徴とするゴルフ練習器具。
【請求項２】
前記第１装着保持部材は、前記練習者の前記所定部位に装着可能なベルト状部材であり、
前記所定部位は、前記練習者の腰回り又は、胸回りである、ことを特徴とする請求項１記載のゴルフ練習器具。
【請求項３】
前記第１装着保持部材は、前記練習者の前記身体に一時的に保持可能な板状部材であり、
前記板状部材の両端側には、前記練習者が前記手で押圧可能な部位が形成されている、ことを特徴とする請求項１記載のゴルフ練習器具。
【請求項４】
ゴルフのパッティングを練習するためのゴルフ練習器具であって、
プレー用又は練習用のパターのヘッドと反対側に位置する前記パターの一端部を連結可能な連結部材と、
前記連結部材が固定された第１装着保持部材と、を備え、
前記連結部材は矩形の板状部材であり、
前記第１装着保持部材は装着基部と装着ベルト状部とを有し、
前記装着基部は板状部材であり、
前記矩形の板状部材の連結部材の上辺が、前記板状部材の装着基部の面に固定されており、
前記装着ベルト状部は、前記装着基部に一部が固定されるとともに、前記練習者の胸周りに巻き付けた状態で装着可能であって、
前記装着ベルト状部の前記装着基部への固定状態は、前記装着ベルト状部が前記練習者の胸周りに巻き付けられた状態において、前記板状部材の装着基部の面が前記練習者の胸に当接されるように、固定されており、
前記練習者が前記パターでパッティングする際、前記パターの前記一端部は前記手で把持されない、ことを特徴とするゴルフ練習器具。
【請求項５】
ゴルフのスイングを練習するゴルフ練習方法であって、
プレー用又は練習用のゴルフクラブのヘッドと反対側に位置する前記ゴルフクラブの一端部を連結可能な連結部材と、前記連結部材が固定された、板状部材である第１装着保持部材とを有するゴルフ練習器具を用いてゴルフスイングの練習をする際、
前記練習者は、前記ゴルフクラブの前記一端部を前記手で把持する代わりに、前記手によって前記板状部材の両端側に形成された部位を前記身体に押圧して、前記ゴルフ練習器具を前記身体に保持させながら、前記身体を動かすことによってゴルフスイングする、ことを特徴とするゴルフ練習方法。